(57)【要約】  送信電力の現在値を求めることが可能な無線通信装置であって、所与の利得設定値に対応する送信電力の値に影響を与える増幅器の少なくとも１つの動作条件を測定する収集ユニットと、増幅器の現在の利得設定値および測定された少なくとも１つの動作条件から送信電力の現在値を確定するようにされた決定モジュール（４６）とを備える、無線通信装置。
2008508771.tif 000002
【特許請求の範囲】
【請求項１】
利得設定値に従って無線通信の送信電力を設定するために調整可能な利得を有する増幅器を備える無線通信装置であって、
所与の利得設定値に対応する前記送信電力の値に影響を与える前記増幅器の少なくとも１つの動作条件を測定する収集ユニットと、
前記増幅器の現在の利得設定値および測定された前記少なくとも１つの動作条件から前記送信電力の現在値を確定するようにされた決定モジュールとを備える、無線通信装置。
【請求項２】
利得設定値と、格納される各利得設定値に関連する第１および第２の予測された送信電力値とを格納するメモリを備え、
前記決定モジュールが、前記送信電力の現在値を確定するために、測定された前記少なくとも１つの条件に従って前記第１および第２の予測された送信電力値のいずれか１つを選択するようにされた、請求項１に記載の装置。
【請求項３】
格納される各利得設定値が整数値である、請求項２に記載の装置。
【請求項４】
実際の送信電力を測定するための無線周波数電力検出器と、
測定された送信電力および現在の利得設定値に従って、前記メモリに格納された予測された送信電力値を更新するように構成された更新モジュールとを備える、請求項２および３のいずれか一項に記載の装置。
【請求項５】
基地局の電力制御コマンドのみに応じて前記増幅器の利得を調整する設定モジュールを備える、前記請求項のいずれか一項に記載の装置。
【請求項６】
前記電力制御コマンドが装置の現在の送信電力を増減するためにステップ・サイズを指定する無線システムで用いられる装置であって、前記設定モジュールが、前記受信されたステップ・サイズによって現在の利得を増減するようにされている、請求項５に記載の装置。
【請求項７】
前記設定モジュールが、測定された前記少なくとも１つの条件に従って、利得設定の上限または下限を超えない値を選択するようにされている、請求項５または６に記載の装置。
【請求項８】
前記収集ユニットが、増幅器温度を感受する温度センサ、前記増幅器の電源電圧を感受する電圧センサ、および前記増幅器の動作周波数を感受する周波数センサを含む群から選択される少なくとも１つのセンサを備える、前記請求項のいずれか一項に記載の装置。
【請求項９】
携帯電話である、前記請求項のいずれか一項に記載の装置。
【請求項１０】
利得設定値に従って無線通信の送信電力を設定するために調整可能な利得を有する増幅器を備える無線通信装置の送信電力の現在値を求める方法であって、
所与の利得設定値に対応する前記送信電力の値に影響を与えることがある前記増幅器の少なくとも１つの動作条件を測定するステップと、
前記増幅器の現在の利得設定値および測定された前記少なくとも１つの動作条件から前記送信電力の現在値を確定するステップとを含む、方法。
【請求項１１】
利得設定値と、メモリに格納された各利得設定値に関連する第１および第２の予測された送信電力値とを格納するステップをさらに含み、前記確定するステップが、前記送信電力の現在値を確定するために、測定された前記少なくとも１つの条件に従って前記第１および第２の予測された送信電力値のいずれか１つを選択する動作を含む、請求項１０に記載の方法。
【請求項１２】
測定された送信電力および現在の利得設定値に従って、前記メモリに格納された予測された送信電力値を更新するステップをさらに含む、請求項１１に記載の方法。
【請求項１３】
基地局の電力制御コマンドのみに応じて前記増幅器の利得を調整するステップをさらに含む、請求項１０から１２のいずれか一項に記載の方法。
【請求項１４】
現在の送信電力を増減するためにステップ・サイズを指定する電力制御コマンドを受信する通信装置のための方法であって、前記調整するステップが、前記受信されたステップ・サイズによって現在の利得を増減する動作を含む、請求項１３に記載の方法。
【請求項１５】
測定された前記少なくとも１つの条件に従って、利得設定の上限または下限を超えない値を選択するステップをさらに含む、請求項１０から１４のいずれか一項に記載の方法。
【請求項１６】
確定された送信電力の値を基地局に送信するステップをさらに含む、請求項１０から１５のいずれか一項に記載の方法。
【請求項１７】
命令であって、これらの命令がプロセッサによって実行される場合に、送信電力の現在値を決定する、請求項１０から１６のいずれか一項に記載の方法を実行する命令を含む記録媒体。
【発明の詳細な説明】
【技術分野】
【０００１】
本発明は、無線通信装置の送信電力の現在値の決定に関する。
【背景技術】
【０００２】
ＣＤＭＡ（符号分割多重接続方式）無線電話システムは、ネットワーク基地局および複数の移動ユーザ局を含む。以下では、ユーザ局は、無線通信装置と呼ばれる。無線通信装置が、共用無線周波数インターフェースを通じて通信する場合には、各通信装置の無線周波数送信電力を制御する必要がある。これが、主にすべてのユーザのすべての通信チャネル上で許容できる信号品質を保証する一方で、各通信装置の電力消費は最小化される。そのため、無線通信装置は、利得設定値に従って無線通信の送信電力を設定するために調整可能な利得を有する増幅器を備える。
【０００３】
このような従来の通信装置の一例は、米国特許出願公開第２００２／０１７６５１３号に記載されている。
【０００４】
ＵＭＴＳ（汎用移動通信システム）用の３ＧＰＰ規格（第３世代パートナーシップ・プロジェクト）のような規格は、各通信装置に対して、
送信電力の変化に関する第１の許容範囲、および
最大の送信電力に関する第２の許容範囲を指定している。
【０００５】
第２の許容範囲は、絶対最大送信電力限界に従って指定される。例えば、クラス３の通信装置の最大送信電力限界は、２４ｄＢｍ（１ミリワットを０デシベルとする）であり、その許容範囲は、−３ｄＢ〜＋１ｄＢの範囲である。
【０００６】
しかし、増幅器における非線形性および誤差のために、プロセッサによって設定される公称利得は、所望の送信電力に必ずしも対応することができない。この誤差は、増幅器の温度変化、電源電圧変化、周波数変化、および他の動作条件の影響によって大きくされることがある。結果として、第２の許容範囲は、それが最大送信電力限界に接近している場合には、達成することがより難しくなる。そのため、無線通信装置用の多くのデザインは、無線周波数送信電力の直接測定を必要とする。
【発明の開示】
【発明が解決しようとする課題】
【０００７】
したがって、本発明の目的は、指定された許容範囲に従って送信電力を制御するために無線周波数送信電力検出器を必要としない無線通信装置を提供することである。
【課題を解決するための手段】
【０００８】
前述の目的およびその他の目的を鑑みて、本発明によれば、無線通信装置が提供され、この無線通信装置は、
利得設定値に従って無線通信の送信電力を設定するために調整可能な利得を有する増幅器と、
所与の利得設定値に対応する送信電力の値に影響を与える増幅器の少なくとも１つの動作条件を測定する収集ユニットと、
増幅器の現在の利得設定値および測定された少なくとも１つの動作条件から送信電力の現在値を確定するようにされた決定モジュールとを備える。
【０００９】
上記の無線通信装置は、送信電力の現在値を確定するために、その現在値を測定することなく、測定された少なくとも１つの増幅器の動作条件を考慮に入れる。したがって、この装置は、従来の通信装置よりも高い精度を有する送信電力のための値を確定し、その結果、実際の送信電力の測定が省略されることができる。
【００１０】
利得設定値と、格納される各利得設定値に関連する第１および第２の予測された送信電力値とを格納するメモリを備え、
決定モジュールが、送信電力の現在値を確定するために、測定された少なくとも１つの条件に従って第１および第２の予測された送信電力値のいずれか１つを選択するようにされた、本発明による無線通信装置は、増幅器の測定された動作条件に従う送信電力値の決定を容易にする。
【００１１】
格納される各利得設定値が整数値である、本発明による無線通信装置は、利得制御の実施を簡単にする。
【００１２】
実際の送信電力を測定するための無線周波数電力検出器と、
測定された送信電力および現在の利得設定値に従って、メモリに格納された予測された送信電力値を更新するように構成された更新モジュールとを備える、本発明による無線通信装置は、確定された送信電圧値の精度を向上させる。
【００１３】
基地局からの電力制御コマンドのみに応じて増幅器の利得を調整する設定モジュールを備える、本発明による無線通信装置は、送信電圧の変化に関する第１の許容範囲に適合することを容易にする。
【００１４】
電力制御コマンドが装置の現在の送信電力を増減するためにステップ・サイズを指定する無線システムで用いられる無線通信装置であって、設定モジュールが、受信されたステップ・サイズによって現在の利得を増減するようにされている、本発明による無線通信装置は、利得制御を容易にする。
【００１５】
設定モジュールが、測定された少なくとも１つの条件に従って、利得設定の上限または下限を超えない値を選択するようにされている、本発明による無線通信装置は、ＵＭＴＳのような規格への適合を促進する。
【００１６】
収集ユニットが少なくとも、
増幅器温度を感受する温度センサを含む群から選択される１つのセンサと、
増幅器の電源電圧を感受する電圧センサと、
増幅器の動作周波数を感受する周波数センサとを備える、本発明による無線通信装置は、より正確な送信電圧値が確定されることを可能にする。
【００１７】
本発明は、上記の無線通信装置の送信電圧の現在値を求める方法、および先に述べた方法を実行する命令を含む記録媒体にも関する。
【００１８】
本発明のこれら態様およびその他の態様は、以下の説明、図面、および特許請求の範囲から明らかとなるであろう。
【発明を実施するための最良の形態】
【００１９】
図１は、ネットワーク基地局４と無線通信装置とを含むＣＤＭＡ無線電話システム２を示している。説明のために、この無線通信装置は、ＵＭＴＳ携帯電話６である。電話６は、無線信号８を使用して基地局４と通信することができる。通信を行うために、電話６はＣＤＭＡ技術を実装する。
【００２０】
基地局４は、無線信号８を電話６へ送信し、電話６から受信するために、送信機と受信機とを含む。
【００２１】
電話６は、無線信号８を受信するまたは送信するために、無線周波トランシーバ１６とベースバンド・プロセッサ１８とを備える。
【００２２】
トランシーバ１６は、無線信号８を受信するまたは送信するために、アンテナ２０に接続されている。
【００２３】
トランシーバ１６は、受信された無線信号をベースバンド信号に変換し、またその逆も同様に行う。換言すれば、トランシーバ１６の主な役割は、無線信号から搬送波を除去する、またはこのような搬送波をベースバンド信号に加えることである。ベースバンド信号は、トランシーバ１６をプロセッサ１８に接続する回線２１を介してプロセッサ１８とサブシステム１６との間で交換される。
【００２４】
またトランシーバ１６は、送信される無線周波数信号の送信電力を設定するようにもされている。より正確には、トランシーバ１６は、送信電力を設定するために、調整可能な利得を有する増幅器２２を備える。例えば増幅器２２は、特定の利得を得るために、一揃いの減衰器２６と、この減衰器の組み合わせを選択するためのプログラム可能なスイッチ２８とを備える。スイッチ２８は、利得設定値に応じて動作する。減衰器の数が、利得設定分解能を決める。この実施形態では、合計７４×１ｄＢの減衰ステップが必要とされる。これは、それぞれ１、２、４、８、１６、３２、および６４ｄＢの減衰値を有する７個の減衰器３０〜３６を使用することにより達成されることができる。
【００２５】
電話６は、電話６のあらゆる構成要素に電力を供給する充電式電池などの電源ユニット４０を含む。
【００２６】
システム２は、ＵＭＴＳ規格に準拠するように設計されている。結果として、システム２は、「内部ループ」電力制御システムを実装する。基地局４によって受信される電話６からの信号の品質は測定され、基地局４は、ダウンリンク通信チャネルを通じて頻繁な間隔で電力制御コマンドを送る。これらのコマンドは、電話６にその送信電力を増加する、維持する、または減少させることを要求する。以下で「ステップ」と呼ばれる増加または減少のサイズは、整数のインクリメントである。ここでは、インクリメントは１ｄＢに等しい。説明の始めで紹介された第１の許容範囲は、これらのコマンドのうちの１つに応じた送信電力変化に関する許容範囲である。第１の許容範囲は、ステップ・サイズに従って指定される。例えば、＋１ｄＢのステップが要求される場合、送信電力の変化は＋０．５ｄＢ〜＋１．５ｄＢの範囲でなければならない。
【００２７】
また、電話６の送信電力は、最大送信電力限界と最小送信電力限界との間にとどまらなければならない。最大送信電力限界は、ＵＭＴＳ規格により課される。電話６の送信電力は、説明の始めで紹介された第２の許容範囲を満たさなければならない。
【００２８】
ＵＭＴＳ規格の別の要件は、電話６が指定された時点で送信電力を測定し、それを基地局４に報告することができなければならないということである。この測定の精度も、送信電力の絶対値に応じてＵＭＴＳ規格で指定されており、送信電力が最大送信電力限界の近くにある場合には、より高い精度が必要である。
【００２９】
プロセッサ１８は、ＵＭＴＳ要件を満たすために、報告モジュール４２と設定モジュール４４とを含む。この実施形態では、プロセッサ１８は、決定モジュール４６と更新モジュール４８も含む。
【００３０】
モジュール４６は、増幅器２２の現在の利得設定値と少なくとも１つの動作条件に従って現在の電力送信値を確定することが意図されている。ここで、電話６は、所与の利得設定値に対応する送信電力の値を修正する増幅器２２の動作条件を得るために、データ収集ユニットを有する。より正確には、収集ユニットは例えば、
ユニット４０の電源電圧を測定する電圧センサ５２と、
増幅器２２の動作温度を感受する温度センサ５３と、
増幅器２２によって増幅される信号の動作周波数を感受する周波数センサ５４とを備える。
【００３１】
また、モジュール４６は、設定テーブル６０を格納するメモリ５８のような記憶媒体にも接続されている。
【００３２】
テーブル６０の一例は、図２においてさらに詳細に示される。テーブル６０は、０ｄＢ〜−７４ｄＢの範囲の整数の減衰値として表される固定された利得設定値を有する第１の列６２を含む。実際、テーブル６０のすべての利得設定値を達成するために必要とされる減衰器の数が限定されるので、整数の減衰値だけを有することは増幅器２２の設計を簡素化する。列６２の値は等差数列を形成し、その公差はシステム２で使用されるインクリメント、すなわち「１」に等しい。
【００３３】
テーブル６０は、第２の列６４と第３の列６６も含む。列６４は、列６２の各利得設定値に関連した、第１の組の増幅器動作条件下で予測された送信電力値を含む。例えば、第１の組の動作条件は、１５℃〜３５℃の範囲の測定された温度、２．５Ｖ〜３Ｖの範囲の測定された電源電圧、および１９２０〜１９５０ＭＨｚの範囲の測定された周波数に対応する。
【００３４】
列６６は、列６２の利得設定値の各々と関連し、第２の組の増幅器動作条件下で予測された送信電力値に対応する送信電力を含む。例えば、第２の組の動作条件は、−５℃〜１５℃の範囲の測定された温度、１．８Ｖ〜２．５Ｖの範囲の測定された電源電圧、および１９５０〜１９８０ＭＨｚの範囲の測定された周波数に対応する。
【００３５】
列６４および６６の送信電力値は、要望されるのと同程度に小さい分解能を有することができる。例えば、分解能は小数第１位まで示される。
【００３６】
図２では、各列の最初の３つの値と最後の３つの値だけが表示されている。テーブル６０の送信電力値はｄＢｍで表されている。
【００３７】
報告モジュール４２は、モジュール４６によって確定された送信電力値を、トランシーバ１６とアンテナ２０とを介して基地局４に送信するように設計されている。
【００３８】
設定モジュール４４は、受信された電力制御コマンドに応じて増幅器２２の利得を調整する。より正確には、モジュール４４は、増幅器２２を制御するために、スイッチ２８に利得設定値を送信する。
【００３９】
最後に、更新モジュール４８は、列６４および６６の予測された送信電力値を更新するようにされている。この目的で、モジュール４８は、無線周波数送信電力検出器７０に接続されている。検出器７０は、アンテナ２０を介して送信される信号の実際の送信電力を測定することができる。
【００４０】
この実施形態では、プロセッサ１８はプログラム可能な計算機であり、メモリ５８は、命令であって、これらの命令がプロセッサ１８によって実行されるときに図３の方法を実施する命令を含む。
【００４１】
次に、図３を参照してシステム２の動作が説明される。
【００４２】
まず、ステップ８０で、テーブル６０の送信電力値の各々を測定するために、電話６の較正が実行される。これらの測定は、所与の利得設定値を固定し、増幅器２２の所与の動作条件を調整し、次いで所与の利得設定値および動作条件から生じる送信電力を測定することによって実行される。
【００４３】
ステップ８２で、ひとたびすべての送信電力値が測定されると、送信電力値はメモリ５８のテーブル６０に格納される。その後、電話６が使用されることができる。
【００４４】
電話６の動作中、ステップ８４で、センサ５２〜５４は電話６の動作条件を測定し、このことは、所与の利得設定値に対応する電話６の実際の送信電力に影響する。ここで、増幅器２２の温度、動作周波数、および電源電圧が測定される。
【００４５】
その後、ステップ８６で、モジュール４６は、送信電力を測定することなく現在の送信電力値を確定する。特に、動作８８の間に、モジュール４６は、測定された動作条件に対応するテーブル６０の列を選択する。動作８８の間に列６４が選択されたと仮定すると、動作９０で、モジュール４６は選択された列の現在の利得設定値に関連する送信電力値を選択する。例えば、現在の利得設定値が−２ｄＢである場合、確定される送信電力値は２２．６ｄＢｍである。
【００４６】
ステップ８６と平行して、ステップ９４で、モジュール４４は、受信された電力制御コマンドのみに応じて増幅器２２の利得を調整する。より正確には、動作９６で、モジュール４４は、基地局４によって送信された電力制御コマンドを受信し、受信されたコマンドに応じて、送信電力が増加されなければならないか、維持されなければならないか、または減少されなければならないかどうかを決定する。
【００４７】
基地局４が送信電力を増加する場合、動作９８の間に、モジュール４４は受信されたインクリメントの数だけ増幅器利得を増加させるために、現在の利得設定値を上げる。例えば、＋１ｄＢのステップが要求された場合、現在の利得設定値は１ｄＢだけ増大される。次いで、動作１００の間に、モジュール４４は、測定された条件に従って上回られないように利得設定の上限を選択する。この目的で、モジュール４４は、動作８８の間に選択されたテーブル６０の列を使用し、列６４の最大送信電力限界のすぐ下にある予測された送信電力値に関連する利得設定値を選択する。ここでは、「−１ｄＢ」が利得設定の上限として選択される。
【００４８】
ひとたび利得設定の上限が選択されると、動作１０２の間に、モジュール４４は、動作９８の間に確定された新しい利得設定値が、選択された利得設定の上限以下かどうかを調べる。
【００４９】
新しい利得設定値が選択された利得設定の上限以下である場合、モジュール４４は動作１０４へ進み、動作１０４で、モジュール４４はプログラム可能なスイッチ２８を制御して増幅器２２に新しい利得を設定する。一方、新しい利得設定値が選択された利得設定の上限を上回る場合、モジュール４４は動作１０６へ進み、動作１０６で、モジュール４４はプログラム可能なスイッチ２８を制御して利得設定の上限に対応する利得を維持する、または設定する。動作１０４または１０６の後で、本工程は、ステップ８４に戻る。そうすることによって、電話６は、最大送信電力限界に関する第２の許容範囲に適合する。
【００５０】
動作９６の間に、基地局が送信電力の減少を命令しているとモジュール４４が判定すると、その場合には、本方法は動作１１０へ進む。動作１１０の間に、モジュール４４は、受信したインクリメントの数だけ現在の利得設定値を減少させ、次いで動作１１２へ進む。動作１１２の間に、モジュール４４は、増幅器２２の測定された動作条件に従って利得設定の下限を選択する。動作１１２は、モジュール４４が最小送信電力限界のすぐ上にある列６４の予測された送信電力値に関連する列６２の利得設定値を選択すること以外は動作１００と類似している。そのため、この例では、モジュール４４は−７３ｄＢの値を選択する。
【００５１】
動作１１４で、モジュール４４は、新しい利得設定値が選択された利得設定の下限以上であるかどうかを調べる。新しい利得取得値（ｎｅｗ  ｇａｉｎ  ｇｅｔｔｉｎｇ  ｖａｌｕｅ）がより大きい場合、モジュール４４は動作１０４へ進み、もしそうでなければ、モジュール４４は動作１０６へ進む。
【００５２】
動作９６の間に、送信電力が維持されるべきであるとモジュール４４が判定すると、その場合には、本工程は停止し、ステップ８４に戻る。
【００５３】
さらにステップ８６および９４と平行して、更新ステップ１２０と報告ステップ１２２とが実行されてもよい。
【００５４】
ステップ１２０で、モジュール４８は、必要に応じてテーブル６０のある列のすべての送信電力値を更新する。まず、動作１３０の間に、検出器７０は、実際の送信電力値を測定し、測定された値をモジュール４８に送信する。次いで、動作１３２の間に、モジュール４８は、測定された送信電力値を、ステップ８６の間にテーブル６０から読み込まれた予測された値と比較する。測定された送信電力値と予測された値の間の差が大きな場合には、次いで、動作１３４の間に、測定された送信電力値と予測された値の間の差が、ステップ８６で選択されたテーブルの列のすべての値に適用される。その結果、上限は、ＵＭＴＳ規格により絶対べき乗項（ａｂｓｏｌｕｔｅ  ｐｏｗｅｒ  ｔｅｒｍｓ）に定義されているので、上限に対応する利得設定値は変化してもよい。例えば、１ｄＢの誤差が、予測された電力値と測定された電力との間で検出される場合、予測された電力値はすべて１ｄＢだけ調整される。これは、この場合、上限に対応する利得設定が、ＵＭＴＳ規格によって設定された上限を１ｄＢ越える絶対電力を発生させることを意味する。したがって、動作１００の間に、テーブルの１つ下にある利得設定が、上限として指定されなければならない。
【００５５】
差は、例えばその差が所定の閾値より大きい場合に、顕著であると判定される。動作１３２の間、差が大きくない場合には、モジュール４８はいかなる予測された送信電力値も更新しない。
【００５６】
最後に、ステップ１２２で、ステップ８６で決定した予測された送信電力値は、ＵＭＴＳ規格を満たすために、指定された時点で基地局４へ送信される。
【００５７】
上記の実施形態では、増幅器２２の動作条件が考慮に入れられるので、送信電力の値はステップ８６で高精度に決定される。そのため、ＵＭＴＳ規格の許容範囲は、必ずしも実際の送信電力の測定を必要とせずに適合される。
【００５８】
ステップ８６で決定される送信電力値の精度は、テーブル６０に格納された送信電力値の精度に依存する。電話６が通常の使用から永続的な損耗状態にある場合、テーブル６０の値は時々更新される必要がある。モジュール４８は、自動的にテーブル６０を更新し、それにより自動的に電話６のエージングの影響を補償する。
【００５９】
電話６では、モジュール４４のみが増幅器２２の利得を調整する。モジュール４４はＵＭＴＳのような規格の要件を満たしながら、確実に増幅器２２を調整する。実際、他の可能な方法は、たとえ動作条件が変ったとしても、送信電力を一定に維持するために利得を直接調整することによって、増幅器２２の動作条件の変化を補償する。このような方法では、電力制御コマンドおよび測定された動作条件の変化に応じて利得が同時に変えられる場合、その結果が許容範囲外の送信電力変化となるので、工業規格を満たすことは難しい。
【００６０】
多くの追加の実施形態が可能である。例えば、テーブル６０の自動更新が必要とされない場合、更新モジュール４８と検出器７０は省略されることができる。
【００６１】
収集ユニットは、それが３台のセンサ５２〜５４を含む特定の場合において記載されてきた。しかし、他の実施形態では、収集ユニットは、センサ５２、センサ５３、およびセンサ５４を有する群から選択される１つ、２つ、または３つのセンサを含む。別の実施形態では、エージング・センサが前述のセンサ群に加えられる。さらに別の実施形態では、センサ５４は、基地局からの受信されたデータから動作周波数を読み込むモジュールで置き換えられる。実際、ＵＭＴＳネットワークでは、動作周波数は、ネットワークによって設定され、無線通信装置へ信号で送られる。
【００６２】
増幅器２２の利得制御は、プログラム可能なスイッチと一揃いの減衰器とを用いて記載されてきた。他の利得制御が使用されてもよい。例えば、別の実施形態では、モジュール４４は、増幅器または減衰器の利得を制御するために使用される電圧レベルを生じさせるために、デジタル／アナログ・コンバータを使用する。このような一実施形態では、コンバータでサポートされるデジタル・ビット数は、利得設定分解能を固定する。そのため、このような一実施形態では、列６２のもののような整数利得設定値は、通信装置のデザインを簡素化するのに好ましい。
【００６３】
テーブル６０の列の数は、増幅器２２の他の動作条件の組に対応する送信電力値をさらに含むために増大されてもよい。さらに、テーブル６０は、現在の利得設定値と測定された動作条件とに従って、予測される送信電力値を与える数学関数で置き換えられてもよい。
【００６４】
上述の実施形態は、ＵＭＴＳ規格の特定の場合において記載されてきた。しかし、無線周波数電力検出器を必要とすることなく送信電力値を確定することには、他の規格が同様に適用されてもよい。
【図面の簡単な説明】
【００６５】
【図１】無線通信ネットワーク・システムの概略図である。
【図２】電力送信値を確定するために図１のシステムによって使用されるテーブルである。
【図３】図１のシステムで電力送信値を決定する方法のフローチャートである。
【符号の説明】
【００６６】
２  ＣＤＭＡ無線電話システム
４  ネットワーク基地局
６  ＵＭＴＳ携帯電話
１６  無線周波トランシーバ
１８  プロセッサ
２２  増幅器
２６、３０〜３６  減衰器
４０  電源ユニット
４２  報告モジュール
４４  設定モジュール
４６  決定モジュール
４８  更新モジュール
５２  電圧センサ
５３  湿度センサ
５４  周波数センサ
５８  メモリ
６０  設定テーブル
【図１】
2008508771.tif 000003
【図２】
2008508771.tif 000004
【図３】
2008508771.tif 000005
【国際調査報告】
2008508771.tif 000006
2008508771.tif 000007
2008508771.tif 000008